(57)【要約】【課題】  保護層でオーバーコートされた熱可逆性発色組成物を用いた記録媒体を侵すことのない専用の洗浄剤を提供する。【解決手段】  ポリオキシエチレンポリオキシプロピレンアルキルエーテル、ポリオキシエチレンアルキルエステル、ショ糖脂肪酸エステル、アルキルグリコシド、アルキルポリグリコシド、ポリオキシエチレンソルビタン脂肪酸エステル、ポリオキシエチレン硬化ひまし油から選ばれる１又は２以上の非イオン界面活性剤と、水とからなる熱可逆性発色組成物を用いた記録媒体用の洗浄剤。【選択図】  なし【特許請求の範囲】
【請求項１】
ポリオキシエチレンポリオキシプロピレンアルキルエーテル、ポリオキシエチレンアルキルエステル、ショ糖脂肪酸エステル、アルキルグリコシド、アルキルポリグリコシド、ポリオキシエチレンソルビタン脂肪酸エステル、ポリオキシエチレン硬化ひまし油から選ばれる１又は２以上の非イオン界面活性剤と、水とからなる熱可逆性発色組成物を用いた記録媒体用の洗浄剤。
【発明の詳細な説明】
【技術分野】
【０００１】
本発明は、熱可逆性発色組成物を用いた記録媒体の洗浄に特化した洗浄剤に関するものである。
【背景技術】
【０００２】
温度に依存して透明度が可逆的に変化する感熱層を有する熱可逆性発色組成物を用いた記録媒体が知られており、特開昭５５−１５４１９８号公報、特開平３−２０８９号公報、特開平５−１２４３６０号公報、特開平６−２５５２４７号公報などが知られている。これらの記録媒体は、一時的な画像表示が行なえ、不要となったときにはその画像の消去ができるので、シート状物などに加工して繰り返し使用できる記録媒体として用いられている。
通常これらの記録媒体は、熱可逆性発色組成物層の上面に保護層を設けた構成をしている。この保護層は、水溶性高分子や疎水性高分子化合物の水性エマルジョンを主体として形成された被膜や、紫外線（硬化）性樹脂や電子線（硬化）性樹脂等の（硬化）性樹脂を主体として形成した被膜等を用いられている。
ところで、これらの記録媒体は繰り返し使用できることが特徴である一方、繰り返し使用しているうちに、前記保護層に汚れが付着する欠点があった。汚れが付着すると鮮明な記録ができなるし、特に汚れがひどくなるとサーマルヘッドなどの画像付与機器に悪影響を及ぼし、故障の原因となることがあった。
そこで、特開平０７−１１２５８４の如き洗浄装置を通過させ、洗浄剤を用いて汚れを除去するのであるが、油性溶剤系の洗浄剤を用いると前記保護層を侵してしまい、前記記録媒体を使用不可能にする欠点があった。また、特開平４−８０２７１号公報に記載があるような界面活性剤を配合した水性系洗浄剤を用いた場合でも、僅かなクラックから洗浄剤が浸入してしまうとひび割れ状に変色することがあり、前記記録媒体の寿命を著しく短縮してしまう欠点があった。
【０００３】
【特許文献１】特開平４−８０２７１号公報
【発明の開示】
【発明が解決しようとする課題】
【０００４】
そこで、本発明は保護層でオーバーコートされた熱可逆性発色組成物を用いた記録媒体を侵すことのない専用の洗浄剤を提供することを目的としている。
【課題を解決するための手段】
【０００５】
前記課題を解決する為に、ポリオキシエチレンポリオキシプロピレンアルキルエーテル、ポリオキシエチレンアルキルエステル、ショ糖脂肪酸エステル、アルキルグリコシド、アルキルポリグリコシド、ポリオキシエチレンソルビタン脂肪酸エステル、ポリオキシエチレン硬化ひまし油から選ばれる１又は２以上の非イオン界面活性剤と、水とからなる熱可逆性発色組成物を用いた記録媒体用の洗浄剤を提供する。
【発明の効果】
【０００６】
本発明の洗浄液は、熱可逆性発色組成物を用いた記録媒体の保護層を侵すことがなく、また、前記保護層に入った微細な亀裂から本発明の洗浄剤が浸入しても、熱可逆性発色組成物自体を侵すことがない。
【発明を実施するための最良の形態】
【０００７】
以下、本発明を詳細に説明する。
本発明の洗浄剤は、ポリオキシエチレンポリオキシプロピレンアルキルエーテル、ポリオキシエチレンアルキルエステル、ショ糖脂肪酸エステル、アルキルグリコシド、アルキルポリグリコシド、ポリオキシエチレンソルビタン脂肪酸エステル、ポリオキシエチレン硬化ひまし油から選ばれる１又は２以上の非イオン界面活性剤と、水を必須構成要件とするものである。
【０００８】
本発明洗浄剤に用いられる非イオン界面活性剤としては、ポリオキシエチレンポリオキシプロピレンアルキルエーテル、ポリオキシエチレンアルキルエステル、ショ糖脂肪酸エステル、アルキルグリコシド、アルキルポリグリコシド、ポリオキシエチレンソルビタン脂肪酸エステル、ポリオキシエチレン硬化ひまし油から選択される。
ポリオキシエチレンポリオキシプロピレンアルキルエーテルとしては、ポリオキシエチレンポリオキシプロピレンラウリルエーテル、ポリオキシエチレンポリオキシプロピレンセチルエーテル、ポリオキシエチレンポリオキシプロピレンステアリルエーテル、ポリオキシエチレンポリオキシプロピレンオレイルエーテル、ポリオキシエチレンポリオキシプロピレンベヘニルエーテル、ポリオキシエチレンポリオキシプロピレンデシルテトラデシルエーテル、ポリオキシエチレンポリオキシプロピレン２−デシルテトラデシルエーテル、ポリオキシエチレンポリオキシプロピレンブチルエーテルなどを例示することができ、特に、ＨＬＢ＝９〜２０であってｐＨ＝５．８〜８．６のものが好ましく用いられる。
ポリオキシエチレンアルキルエステルとしては、ポリオキシエチレンラウレート、ポリオキシエチレンステアレート、ポリオキシエチレンオレレートなどを例示することができ、特に、ＨＬＢ＝９〜２０であってｐＨ＝５．８〜８．６のものが好ましく用いられる。
ショ糖脂肪酸エステルとしては、その構成脂肪酸がラウリン酸 、ミリスチン酸、ステアリン酸、ベヘニン酸、イソステアリン酸、パルミチン酸、オレイン酸、リノレン酸、リシノール酸などからなるショ糖モノエステル・ジエステル・トリエステルを例示することができる。本発明では、ショ糖脂肪酸モノエステル、ショ糖脂肪酸ジエステル、ショ糖脂肪酸トリエステルを単独又は混合して用いることができるが、特にモノエステル比率が９０重量％以上、ＨＬＢ＝９〜２０、ｐＨ＝５．８〜８．６のものが好ましく用いられる。
アルキルグリコシド及びアルキルポリグリコシドとしては、ブチルグリコシド、ラウリルグリコシド、デシルグリコシド、オクチルグリコシド、ドデシルグリコシド、ブチルポリグリコシド、ラウリルポリグリコシド、デシルポリグリコシド、オクチルポリグリコシド、ドデシルポリグリコシドなどを例示することができ、特に、アルキル基の炭素数が４〜１８、グリコシドの重合度ｎが１〜５であって、ＨＬＢ＝９〜２０、ｐＨ＝５．８〜８．６のものが好ましく用いられる。
ポリオキシエチレンソルビタン脂肪酸エステルとしては、ポリオキシエチレンソルビタンモノラウレート、ポリオキシエチレンソルビタンモノパルミテート、ポリオキシエチレンソルビタンモノステアレート、ポリオキシエチレンソルビタンモノオレエートなどを例示することができ、特に、ＨＬＢ＝９〜２０であってｐＨ＝５．８〜８．６のものが好ましく用いられる。
ポリオキシエチレン硬化ひまし油としては、重合度ｎが２５〜８０程度のポリエチレングリコールの水添ひまし油などを例示することができ、特に、ＨＬＢ＝９〜２０であってｐＨ＝５．８〜８．６のものが好ましく用いられる。
上記の非イオン界面活性剤は、１又は２以上を選択して使用でき、洗浄剤全量に対して０．０１〜２０重量％程度を使用することができる。
【０００９】
本発明洗浄剤に用いられる溶剤としては、水を用いる。
水は特に限定されないが、不純物を除いたものが好ましく、蒸留水、ろ過水、純水が好ましく用いられ、洗浄剤全量に対して３０〜９９．５重量％、好ましくは９０〜９９重量％程度を使用することができる。
【００１０】
本発明の洗浄剤には、他に金属イオン封鎖剤を更に配合することもできる。具体的には、エチレンジアミン四酢酸塩、縮合リン酸塩、ジヒドロキシエチルグリシン、グルコン酸、クエン酸、酒石酸、ニトリロ三酢酸塩、Ｎ−ヒドロキシエチルエチレンジアミン−Ｎ，Ｎ′，Ｎ″−トリアセテート、ジエチレントリアミンペンタ酢酸塩、トリエチレンテトラミン六酢酸塩、ヒドロキシエチルイミノ二酢酸塩、ジヒドロキシエチルグリシンなどを例示することができる。特に、エチレンジアミン四酢酸塩が好ましい。
これらの金属イオン封鎖剤は、１又は２以上を選択して使用でき、洗浄剤全量に対して０．０１〜２０重量％程度を使用することができる。
【００１１】
本発明の洗浄剤には、他に防腐剤を更に配合することもできる。具体的には、安息香酸ナトリウム、１，２−ベンズイソチアゾリン−３−オン、１，２−ベンズイソチアゾリン−３−オンナトリウム塩、１，２−ベンズイソチアゾリン−３−オンアルキルアミン塩、ソルビン酸カリウム、デヒドロ酢酸ナトリウム、２−メトキシカルボニルアミノベンズイミダゾール−４‘−Ｎ−ドデシルベンゾールスルフォン酸などの防腐剤などを例示することができる。
これらの防腐剤は、１又は２以上混合して用いることができ、洗浄剤全量に対して０．０１〜２０重量％程度を使用することができる。
【００１２】
また、本発明の洗浄剤には、浸透剤としてグリセリンやプロピレングリコールを少量配合することもできる。グリセリンやプロピレングリコールは、表面張力を下げ、汚れとの親和力を向上させるために用いることができ、洗浄剤全量に対して０．０１〜１０重量％程度を使用することができる。但し、当該浸透剤は、本発明が対象としている熱可逆性発色組成物を用いた記録媒体を侵す恐れがあるので、使用しないほうが好ましい。
【００１３】
本発明の洗浄剤は、通常無色透明であるが、他の溶剤と判別しやすくするために僅かに水溶性染料などを配合してもよい。
【００１４】
一般的に洗浄剤は、非イオン界面活性剤単独でなくアニオン界面活性剤等と共用することが多いが、アニオン界面活性剤等は、本発明が対象としている熱可逆性発色組成物を用いた記録媒体を侵すので使用できない。
また、洗浄剤に用いられる非イオン界面活性剤としては、ポリオキシアルキレンアルキルフェニルエーテル、ポリグリセリン脂肪酸エステル、ポリオキシアルキレンアリールエーテル、ポリオキシエチレンアルキルアリールエーテル、ポリオキシエチレンアルキルアミノエーテル、ポリオキシアルキレンアルキルエーテル、ポリオキシアルキレン芳香族置換アルキルエーテル、高級アルコール、高級脂肪酸などが知られているが、これらの非イオン界面活性剤も本発明が対象としている熱可逆性発色組成物を用いた記録媒体を侵すので使用できない。
以下、本発明を実施例により説明するが、本発明はこれらの実施例に限定されるものではない。
【実施例】
【００１５】
（実施例１）
ポリオキシエチレンモノオレエート                        １．０重量％
１，２−ベンズイソチアゾリン−３−オンナトリウム塩      ０．５重量％
水                                                    ９８．５重量％
以上の物質を混合し、保護層でオーバーコートされた熱可逆性発色組成物を用いた記録媒体用の洗浄液を得た。
【００１６】
（実施例２）
ポリオキシエチレンポリオキシプロピレンオレイルエーテル  １．０重量％
１，２−ベンズイソチアゾリン−３−オンアルキルアミン    ０．５重量％
水                                                    ９８．５重量％
以上の物質を混合し、保護層でオーバーコートされた熱可逆性発色組成物を用いた記録媒体用の洗浄液を得た。
【００１７】
（実施例３）
ショ糖モノデシルエステル                                １．０重量％
１，２−ベンズイソチアゾリン−３−オンナトリウム塩      ０．５重量％
水                                                    ９８．５重量％
以上の物質を混合し、保護層でオーバーコートされた熱可逆性発色組成物を用いた記録媒体用の洗浄液を得た。
【００１８】
（実施例４）
デシルグリコシド                                        １．０重量％
１，２−ベンズイソチアゾリン−３−オンアルキルアミン    ０．５重量％
水                                                    ９８．５重量％
以上の物質を混合し、保護層でオーバーコートされた熱可逆性発色組成物を用いた記録媒体用の洗浄液を得た。
【００１９】
（比較例１）
モノエタノールアミン                                  １５．０重量％
メタケイ酸ナトリウム                                    ３．０重量％
ジエチレングリコールモノメチルエーテル                  ５．０重量％
エチレンジアミン四酢酸四ナトリウム                      ２．０重量％
第２級アルカンスルホネート                              １．７重量％
１，２−ベンズイソチアゾリン−３−オンアルキルアミン    ０．５重量％
水                                                    ７３．３重量％
以上の物質を混合して、特開平４−８０２７１号の実施例３の洗浄液を得た。
【００２０】
（比較例２）
ポリオキシエチレンラウリルエーテル                      １．０重量％
１，２−ベンズイソチアゾリン−３−オンアルキルアミン    ０．５重量％
水                                                    ９８．５重量％
以上の物質を混合し、洗浄液を得た。
【００２１】
（比較例３）
ソルビタンラウレート                                    １．０重量％
１，２−ベンズイソチアゾリン−３−オンナトリウム塩      ０．５重量％
水                                                    ９８．５重量％
以上の物質を混合し、洗浄液を得た。
【００２２】
（比較例４）
オレイン酸ジエタアミド                                  １．０重量％
１，２−ベンズイソチアゾリン−３−オンアルキルアミン    ０．５重量％
水                                                    ９８．５重量％
以上の物質を混合し、洗浄液を得た。
【００２３】
（耐性試験）
特開平０７−１１２５８４の如き洗浄装置の水槽に、本実施例及び比較例の洗浄液を入れ、保護層でオーバーコートされた熱可逆性発色組成物を用いた記録媒体を文字形状に発色させたものを、５０℃で１日浸漬した後、記録媒体の様子を観察した。
＜評価＞  ○：変化なし。
×：発色文字が判別不能となった。
【００２４】
（洗浄性試験）
特開平０７−１１２５８４の如き洗浄装置の水槽に、本実施例及び比較例の洗浄液を入れ、保護層でオーバーコートされた熱可逆性発色組成物を用いた記録媒体を文字形状に発色させたものを、当該洗浄装置を用いて１回通過させたときの記録媒体の様子を観察した。
＜評価＞  ○：油汚れを含む汚れ全体が落ちた。
△：汚れは僅かに落ちたが、油汚れは落ちなかった。
×：汚れが落ちなかった。
【００２５】
以下、試験結果を表にする。
（表１）
┌──────┬─────┬─────┐
│            ｜ 耐性試験 ｜洗浄性試験｜
├──────┼─────┼─────┤
｜  実施例１  ｜    ○    ｜    ○    ｜
├──────┼─────┼─────┤
｜  実施例２  ｜    ○    ｜    ○    ｜
├──────┼─────┼─────┤
｜  実施例３  ｜    ○    ｜    ○    ｜
├──────┼─────┼─────┤
｜  実施例４  ｜    ○    ｜    ○    ｜
├──────┼─────┼─────┤
｜  比較例１  ｜    ×    ｜    ×    ｜
├──────┼─────┼─────┤
｜  比較例２  ｜    ×    ｜    ○    ｜
├──────┼─────┼─────┤
｜  比較例３  ｜    △    ｜    ×    ｜
├──────┼─────┼─────┤
｜  比較例４  ｜    △    ｜    ×    ｜
└──────┴─────┴─────┘